(57)【要約】【課題】設置時の感震入力に伴う無駄な待ち時間をなくし、誤操作によるガス通路の閉栓を防止することを目的とする。【解決手段】流速検出部１の出力に基づき流量値を算出する流量値算出部２と、ガス通路を開栓するための復帰入力部３と、地震を検知する感震入力部４と、復帰入力部３の開栓信号を受け取ると所定期間内に流量値算出部２の流量値が規定値を超えるか、感震入力部４の感震信号があれば遮断要求信号を出力する復帰判定部５と、この復帰判定部５の遮断要求信号を受け取ると弁７を閉栓する弁駆動部６と、感震信号を受け取ると感震入力部４の動作内容を表示する感震表示部８と、電源として電池を備え、感震信号Ｄの有無を感震表示部８で表示することで、設置者の無駄な待ち時間をなくして操作性を向上させるとともに、誤操作によるガス通路の閉栓を排除して電池の消耗も少なくすることができるようにした。【選択図】図１
2006242442.tif 000002
【特許請求の範囲】
【請求項１】
ガス通路内を通過するガスの流速に対応して流速信号を出力する流速検出部と、前記流速検出部の前記流速信号を受け取ると流量値を算出して出力する流量値算出部と、ガス通路を開栓するための操作を受け付けると開栓信号を出力する復帰入力部と、地震を検知し感震信号を出力する感震入力部と、前記復帰入力部の前記開栓信号を受け取ると所定期間内に前記流量値算出部の流量値が規定値を超えるか、所定期間内に前記感震入力部の前記感震信号があれば遮断要求信号を出力する復帰判定部と、前記復帰判定部の前記遮断要求信号を受け取ると遮断弁駆動信号を出力する弁駆動部と、前記弁駆動部の前記遮断弁駆動信号を受け取るとガス通路を閉栓する弁と、前記感震入力部の感震信号を受け取ると前記感震入力部の動作内容を表示する感震表示部と、電源として電池を備えたことを特徴とするガス遮断装置。
【請求項２】
感震入力部の感震信号を受け取ると所定時間以上の前記感震信号の入力があれば前記感震信号をスルー出力し、所定時間以上の前記感震信号の入力がなくなれば前記感震信号のスルー出力を停止する表示指示部を備え、感震表示部は、前記感震入力部からの前記感震信号を受け取るのではなく、前記表示指示部からスルー出力される感震信号に基づき表示するよにした請求項１記載のガス遮断装置。
【請求項３】
感震信号の有効無効を指示する操作入力を受け取ると判定停止信号を出力する判定停止入力部を備え、復帰判定部は、復帰入力部の開栓信号を受け取ると所定期間内に流量値算出部の流量値が規定値を超えるか、前記判定停止入力部の前記判定停止信号がない場合に所定期間内に感震入力部の感震信号があれば遮断要求信号を出力するようにした請求項１記載のガス遮断装置。
【請求項４】
感震信号の有効無効を指示する通信電文を受け取ると判定停止信号を出力する判定停止通信部を備え、復帰判定部は、復帰入力部の開栓信号を受け取ると所定期間内に流量値算出部の流量値が規定値を超えるか、前記判定停止通信部の前記判定停止信号がない場合に所定期間内に感震入力部の感震信号があれば遮断要求信号を出力するようにした請求項１記載のガス遮断装置。
【請求項５】
復帰入力部の開栓信号を受け取ると感震入力部の感震信号を受け取り前記感震信号がなければ前記開栓信号をスルー出力し、前記感震信号があれば前記感震信号がなくなるまで遅延してから前記開栓信号を出力する復帰開始指示部を備え、復帰判定部は、前記復帰入力部の開栓信号を受け取るのではなく、前記復帰開始指示部から出力される前記開栓信号を受け取ると所定期間内に流量値算出部の流量値が規定値を超えるか、所定期間内に前記感震入力部の前記感震信号があれば遮断要求信号を出力するようにした請求項１記載のガス遮断装置。
【請求項６】
復帰入力部の開栓信号を受け取ると感震入力部の感震信号を受け取り、この感震信号の有無情報を外部に通報する外部通信部とを備えた請求項１記載のガス遮断装置。
【発明の詳細な説明】
【技術分野】
【０００１】
本発明はガス遮断装置を設置するときに発生する感震信号の入力に関するものである。
【背景技術】
【０００２】
従来、この種のガス遮断装置は、図７に示すように、ガス通路内を通過するガス流速に対応して流速信号ａを出力する流速検出部５１と、前記流速検出部５１の前記流速信号ａにもとづき流量値ｂを算出して出力する流量値算出部５２と、ガス通路を開栓するための操作を受け取ると開栓信号ｃを出力する復帰入力部５３と、地震を検知し感震信号ｄを出力する感震入力部５４と、前記復帰入力部５３の開栓信号ｃを受け付けると所定期間内に前記流量値算出部５２の前記流量値ｂが規定値を超えるか、所定期間内に前記感震入力部５４の感震信号ｄがあれば遮断要求信号ｅを出力する復帰判定部５５と、前記復帰判定部５５の遮断要求信号ｅを受け取ると遮断弁駆動信号ｆを出力する弁駆動部５６と、前記弁駆動部５６の遮断弁駆動信号ｆを受け取ると弁を閉じ、ガス通路を閉栓する弁５７と、電源として電池とから構成されている（例えば、特許文献１参照）。
【特許文献１】特開平１１−１８３２２８号公報
【発明の開示】
【発明が解決しようとする課題】
【０００３】
ガス遮断装置の据付は、図８（ａ）のような口金が上位に位置する上口金方式と、（ｂ）に示すような口金が下位に位置する下口金方式とがあることは周知の通りである。
【０００４】
図８（ａ）のような上口金方式では、ガス遮断装置が現場まで輸送されたり、現場で仮置きされ際、図９（ｃ）のように感震器がなじみ後の状態を保ち、復帰判定が実施されても感震器から感震信号が入力されることは皆無に等しいと考えられる。
【０００５】
一方、図８（ｂ）で示すような下口金方式であれば、口金を保護する目的で輸送時や現場での仮置き時にガス遮断装置が寝かされることが考えられる。特に、仮置き時は安定性や口金部分へのゴミの付着を防止するために寝かさせる可能性が増大する。
【０００６】
ところで、感震器５８はガス遮断装置が傾いて設置されることを想定し、図９に示すように外ケース５９と内ケース６０の２重構造でできており、ガス遮断装置の設置後内ケース６０が鉛直方向になるように稼動可能となっている。外ケース５９と内ケース６０の隙間には振動を検知するために緩衝剤（オイル）６１が設けてある。この緩衝剤６１は一定の粘度管理をしているが、温度により粘度が変化する。特に低温になると粘度が数倍になる。
【０００７】
このため図９（ａ）のように横倒しされたあとでもしばらく図９（ｂ）の直立直後のように内ケース６０が傾き感震信号が出力（例えば、電極間６２，６３を鉄球６４がショートすることにより）されることとなるが、外部からは感震信号を監視することができないため数分間待つ必要がある。
【０００８】
図９（ｃ）の状態になったであろうと考えられる十分な待ち時間をとらなければ感震信号によるガス通路の再閉栓が発生する。すなわち、ガス通路の再閉栓によるガス遮断装置の設置作業の効率が悪くなったり、あるいは、ガス遮断装置は電池で駆動しているため無駄に電池が消耗するという課題を有していた。
【０００９】
本発明は、前記従来の課題を解決するもので、無駄な待ち時間をなくして操作性を向上させるとともに、感震信号によるガス通路の再閉栓を排除して電池の消耗を防止することが可能となるガス遮断装置を提供することを目的とする。
【課題を解決するための手段】
【００１０】
前記従来の課題を解決するために、本発明のガス遮断装置は、感震入力部から出力される感震信号の有無を感震表示部が表示するようにしたものである。
【００１１】
これによって、ガス遮断装置を設置している作業者が感震信号の有無を確認できるようになり、感震信号がなくなるのを見越した無駄な待ち時間をなくして操作性を向上させるとともに、感震信号によるガス通路の再閉栓を排除して電池の消耗を防止することができる。
【発明の効果】
【００１２】
本発明のガス遮断装置は感震信号の有無を作業者が判別できるようになることで、作業性の向上と、無駄な電池の消耗を防止することができる。
【発明を実施するための最良の形態】
【００１３】
第１の発明は、ガス通路内を通過するガス流速に対応して流速信号を出力する流速検出部と、前記流速検出部の前記信号を受け取ると流量値を算出して出力する流量値算出部と、ガス通路を開栓するための操作を受け付けると開栓信号を出力する復帰入力部と、地震を検知し感震信号を出力する感震入力部と、前記復帰入力部の前記開栓信号を受け取ると所定期間内に前記流量値算出部の前記流量値が規定値を超えるか、所定期間内に前記感震入力部の前記感震信号があれば遮断要求信号を出力する復帰判定部と、前記復帰判定部の前記遮断要求信号を受け取ると遮断弁駆動信号を出力する弁駆動部と、前記弁駆動部の前記遮断弁駆動信号を受け取るとガス通路を閉栓する弁と、前記感震入力部の前記感震信号を受け取ると前記感震入力部の動作内容を表示する感震表示部と、電源として電池を備えることにより、前記感震信号の有無を作業者が前記感震表示部により確認することができ、ガス遮断装置の設置時に感震信号がなくなるのを見越した無駄な待ち時間をなくして操作性を向上させるとともに、感震信号によるガス通路の再閉栓を排除して電池の消耗を防止することができる。
【００１４】
第２の発明は、特に、第１の発明において、感震入力部の感震信号を受け取ると所定時間以上の前記感震信号の入力があれば前記感震信号をスルー出力し、所定時間以上の前記感震信号の入力がなくなれば前記感震信号のスルー出力を停止する表示指示部と、特に、第１の発明の感震表示部を、前記感震入力部からの前記感震信号を受け取るのではなく前記表示指示部からスルー出力される前記感震信号に基づき表示するよにした前記感震表示部により、前記感震信号の有無表示がパラパラと散発的に出力されることを防止して作業者が確実に前記感震信号の有無を認識することができる。
【００１５】
第３の発明は、特に、第１の発明において、感震信号の有効無効を指示する操作入力を受け取ると判定停止信号を出力する判定停止入力部と、特に、第１の発明の復帰判定部を、復帰入力部の開栓信号を受け取ると所定期間内に流量値算出部の流量値が規定値を超えるか、前記判定停止入力部の前記判定停止信号がない場合に所定期間内に感震入力部の感震信号があれば遮断要求信号を出力する前記復帰判定部により、感震表示部で例え前記感震信号が出力されていると認識しても作業者の判断で前記復帰判定部での前記感震信号の判定を停止させることで前記感震信号が納まるまでの待ち時間をなくすことができる。
【００１６】
第４の発明は、特に、第１の発明において、感震信号の有効無効を指示する通信電文を受け取ると判定停止信号を出力する判定停止通信部と、特に、第１の発明の復帰判定部を、復帰入力部の開栓信号を受け取ると所定期間内に流量値算出部の流量値が規定値を超えるか、前記判定停止通信部の前記判定停止信号がない場合に所定期間内に感震入力部の感震信号があれば遮断要求信号を出力する前記復帰判定部により、感震表示部で例え前記感震信号が出力されていると認識しても作業者の判断で前記復帰判定部での前記感震信号の判定を停止させることで前記感震信号が納まるまでの待ち時間をなくすことができる。
【００１７】
第５の発明は、復帰入力部の開栓信号を受け取ると、感震入力部の感震信号を受け取り前記感震信号がなければ前記開栓信号をスルー出力し、前記感震信号があれば前記感震信号がなくなるまで遅延してから前記開栓信号を出力する復帰開始指示部と、特に、第１の発明の復帰判定部を、前記復帰入力部の前記開栓信号を受け取るのではなく前記復帰開始指示部から出力される前記開栓信号を受け取ると所定期間内に流量値算出部の流量値が規定値を超えるか、所定期間内に前記感震入力部の前記感震信号があれば遮断要求信号を出力する前記復帰判定部により、復帰判定の開始を前記感震信号の有無によりずらすことが可能となり、作業者は常に感震表示部を監視し前記感震信号がなくなるのを確認してから復帰操作をすることから開放することができる。
【００１８】
第６の発明は、第１の発明に復帰入力部の開栓信号を受け取ると、感震入力部の感震信号を受け取り前記感震信号の有無情報を外部に通報する外部通信部を加え感震表示部を省くことで感震表示ができない場合や状況においても、通信により外部の端末を介して前記感震信号の有無を確認することができる。
【００１９】
以下、本発明の実施の形態について、図面を参照しながら説明する。なお、この実施の形態によって本発明が限定されるものではない。
【００２０】
（実施の形態１）
図１において、流速検出部１はガス通路内を通過するガス流の流速に対応して流速信号Ａを出力するもので、例えば、ガス遮断装置内に設置されている永久磁石がガス通路内を通過するガス流により１回転分の円運動を行い、その円運動の軌跡上にリードスイッチを配置しもの、ガス通路内に少なくとも一対の対向した超音波センサを取り付け超音波の伝播時間の違いからガス流速を検知するもの、あるいは、ガス通路内にガスが流れる経路を作成し、ガスが経路を流れるときに発生する振動からガス流速を検知するものなどがあり、流速に対応して流速信号Ａを出力する。
【００２１】
流量値算出部２は流速検出部１の流速信号Ａを受け取ると、流量値Ｂを算出して出力する。復帰入力部３はガス通路を開栓するための操作を受け付ける開栓信号Ｃを出力するもので、例えば、ガス遮断装置にあらかじめ用意されている復帰を受け付けるスイッチなどが考えられる。
【００２２】
感震入力部４は地震を検知して感震信号Ｄを出力する。復帰判定部５は復帰入力部３の開栓信号Ｃを受け取ると所定期間内（例えば、２分間）に流量値算出部２の流量値Ｂが規定値（例えば、流量値が１００Ｌ／ｈ以上）を超えるか、所定期間内（例えば、２分間）に感震入力部４の感震信号Ｄ（例えば、地震と判断できるパターンの信号入力があった場合）があれば遮断要求信号Ｅを出力する。
【００２３】
弁駆動部６は復帰判定部５の遮断要求信号Ｅを受け取ると遮断弁駆動信号Ｆを出力するもので、弁７は弁駆動部６の遮断弁駆動信号Ｆを受け取ると弁を閉じガス通路を閉栓するものである。
【００２４】
感震表示部８は感震入力部４の感震信号Ｄを受け取ると、この感震入力部４の動作内容を表示するもので、例えば、忠実に感震信号のオン／オフに基づき表示をしても良いし、１秒毎に監視しその期間に感震信号Ｄが発生していれば表示しても同等の効果が得られるものである。
【００２５】
以上のように構成されたガス遮断装置について、以下その動作、作用を説明する。
【００２６】
まず、感震信号Ｄをガス遮断装置の設置工事を実施している作業者が確認できるようになることで、感震器が働いているときに復帰を受け付けるスイッチを押しても復帰判定時にガス通路の再閉栓することが容易に想像することができるとともに、感震信号Ｄが入らなくなったタイミングが判ることで最大の待ち時間を待つ必要がなくなる。
【００２７】
以上のように、本実施の形態においては感震表示部８で感震入力部４からの感震信号Ｄの有無を表示することができる。
【００２８】
例えば、ガス遮断装置が保有しているＬＣＤやＬＥＤ等を用いて表示しても良いし、専用の外付けアダプタを作成し表示するようにしても同等の効果が得られる。
【００２９】
（実施の形態２）
図２において、表示指示部９は、感震入力部４の感震信号Ｄを受け取ると所定時間以上（例えば、１秒連続オン）の感震信号Ｄの入力があれば感震信号Ｄをスルー出力し、所定時間以上の感震信号Ｄの入力がなくなれば感震信号Ｄのスルー出力を停止する。このことにより感震信号Ｄがチャタリングや近くの路上をダンプカーなどが走った場合に発生する振動で復帰判定時に感震信号Ｄの入力によりガス通路が再び閉栓されることはない感震信号Ｄと区別することができる。感震表示部８は表示指示部９からスルー出力される感震信号Ｄに基づき表示する。
【００３０】
以上のように構成されたガス遮断装置について、まず、チャタリングや外来振動を除くことが可能となりガス遮断装置を設置する作業者が復帰操作を開始するタイミングが実施の形態１よりもさらに明確になる。
【００３１】
以上のように、表示指示部９が復帰操作後に感震信号Ｄの入力パターンでガス通路を再閉栓することがないと判断したときに感震表示部８の表示を消灯させることができる。
【００３２】
なお、図２において、図１と同一作用・動作を奏する構成については同一符号を付し説明は実施の形態１のものを援用する。
【００３３】
（実施の形態３）
図３において、判定停止入力部１０は感震信号の有効無効を指示する操作入力（例えば、専用の入力スイッチを設けても良いし、現状のガス遮断装置が保有している入力可能なデバイスを使用してその組み合わせや入力パターンを変えることにより指示を与えても同等の効果が得られる）を受け取ると判定停止信号Ｇを出力する。
【００３４】
復帰判定部５は復帰入力部３の開栓信号Ｃを受け取ると所定期間内に流量値算出部２の流量値Ｂが規定値を超えるか、判定停止入力部１０の判定停止信号Ｇがない場合（判定停止信号Ｇがある場合は感震信号Ｄの判定を行わない）に所定期間内に感震入力部４の感震信号Ｄがあれば遮断要求信号Ｅを出力する。
【００３５】
以上のように構成されたガス遮断装置について、例え感震信号Ｄが出力されていると認識しても作業者の判断で復帰判定部５での感震信号Ｄの判定を停止させることで感震信号Ｄが納まるまでの待ち時間をなくすことができる。
【００３６】
以上のように、本実施の形態においては判定停止入力部１０から判定停止信号Ｇにより復帰判定部５での感震信号Ｄの判定を停止させる。
【００３７】
なお、図３において、図１と同一作用・動作を奏する構成については同一符号を付し説明は実施の形態１のものを援用する。
【００３８】
（実施の形態４）
図４において、判定停止通信部１１は感震信号Ｄの有効無効を指示する通信電文（例えば、コストやスペースの関係でガス遮断装置に新たなスイッチ等の増設が不可能な場合や現状のガス遮断装置が保有している入力可能なデバイスを代用しての入力が困難な場合には、ガス遮断装置が保有している通信手段を利用する）を受け取ると判定停止信号Ｇを出力する。
【００３９】
復帰判定部５は復帰入力部３の開栓信号Ｃを受け取ると所定期間内に流量値算出部２の流量値Ｂが規定値を超えるか、判定停止通信部１１の判定停止信号Ｇがない場合に所定期間内に感震入力部４の感震信号Ｄがあれば遮断要求信号Ｅを出力する。
【００４０】
以上のように構成されたガス遮断装置について、例え感震信号Ｄが出力されていると認識しても作業者の判断で復帰判定部５での感震信号Ｄの判定を停止させることで感震信号Ｄが納まるまでの待ち時間をなくすことができる。
【００４１】
以上のように、本実施の形態においては判定停止通信部１１から判定停止信号Ｇにより復帰判定部５での感震信号Ｄの判定を停止させる。
【００４２】
なお、図４において、図１と同一作用・動作を奏する構成については同一符号を付し説明は実施の形態１のものを援用する。
【００４３】
（実施の形態５）
図５において、復帰開始指示部１２は復帰入力部３の開栓信号Ｃを受け取ると、感震入力部４の感震信号Ｄを受け取り感震信号Ｄがなければ開栓信号Ｃをスルー出力し、感震信号Ｄがあれば感震信号Ｄがなくなるまで（例えば、１秒間感震信号Ｄがオフになる場合、あるいは復帰判定部５で感震信号によるガス通路の再閉栓が発生しない信号パターンになったときでも同等の効果が得られる）遅延してから開栓信号Ｃを出力する。
【００４４】
復帰判定部５は復帰開始指示部１２から出力される開栓信号Ｃを受け取ると所定期間内に流量値算出部２の流量値Ｂが規定値を超えるか、所定期間内に感震入力部４の感震信号Ｄがあれば遮断要求信号Ｅを出力する。
【００４５】
以上のように構成されたガス遮断装置について、復帰判定の開始を感震信号Ｄの有無によりずらすことが可能となり、作業者は常に感震表示部８を監視し感震信号Ｄがなくなるのを確認してから復帰操作をすることから開放することができる。
【００４６】
以上のように、本実施の形態においては復帰開始指示部１２は感震入力部４の感震信号Ｄの有無を判断し、感震信号Ｄがなくなるまで遅延して開栓信号Ｃを復帰判定部５に出力する。
【００４７】
なお、図５において、図１と同一作用・動作を奏する構成については同一符号を付し説明は実施の形態１のものを援用する。
【００４８】
（実施の形態６）
図６において、外部通信部１３は復帰入力部３の開栓信号Ｃを受け取ると、感震入力部４の感震信号Ｄを受け取り感震信号Ｄの有無情報を外部（ガス遮断装置が保有している通信手段を利用しても良いし、新たに専用の通信手段を付加しても同等の効果が得られる）に通報する（復帰入力がされたことを起点として感震信号の有無を電文により出力する。すなわち、復帰開始の当初から感震信号Ｄがなければ無電文を送信し、感震信号Ｄがあれば有電文を送信したあと感震信号Ｄがなくなった時点で無電文を送信する）。
【００４９】
以上のように構成されたガス遮断装置について、感震表示ができない場合（ガス遮断装置にＬＣＤやＬＥＤがなかったり、新たに表示をするデバイスを付加できなかったり、感震信号Ｄの状態を表示させると電池の消耗が大きくなる場合）や状況においても、通信により外部の端末（例えば、専用の通信端末装置）を介して感震信号の有無を確認することができる。
【００５０】
本実施の形態においては外部通信部１３が復帰入力部３の開栓信号Ｃを起点として感震入力部４の感震信号Ｄを有無を通信する。
【００５１】
なお、図６において、図１と同一作用・動作を奏する構成については同一符号を付し説明は実施の形態１のものを援用する。
【００５２】
このように、実施の形態１〜６においてガス遮断装置の設置工事の作業性の向上を図るとともに、弁の駆動回数を低減させることができる。このため同じ容量の電池であれば他の事象によるガス通路の閉栓や通信を実施することが可能となり、あるいは容量の小さい電池を使用することが可能となりガス遮断装置の小型化が図れる。
【産業上の利用可能性】
【００５３】
以上のように、本発明にかかる電源を電池で駆動する装置で内部の挙動がわからないために無駄に電池を消耗させる動作させてしまうものや、電池消耗を恐れ待機期間を最大時間で常に実施することで作業効率が低下していたようなものであれば、操作のタイミングが明確になることで最適化することが可能となるので、水道メータ等の用途にも適用できる。
【図面の簡単な説明】
【００５４】
【図１】本発明の実施の形態１におけるガス遮断装置の機能ブロック図
【図２】本発明の実施の形態２におけるガス遮断装置の機能ブロック図
【図３】本発明の実施の形態３におけるガス遮断装置の機能ブロック図
【図４】本発明の実施の形態４におけるガス遮断装置の機能ブロック図
【図５】本発明の実施の形態５におけるガス遮断装置の機能ブロック図
【図６】本発明の実施の形態６におけるガス遮断装置の機能ブロック図
【図７】従来のガス遮断装置の機能ブロック図
【図８】ガス遮断装置の配管取り付け金具の位置を示す説明図
【図９】感震器の動作状態模式図
【符号の説明】
【００５５】
１  流速検出部
２  流量値算出部
３  復帰入力部
４  感震入力部
５  復帰判定部
６  弁駆動部
７  弁
８  感震表示部
９  表示指示部
１０  判定停止入力部
１１  判定停止通信部
１２  復帰開始指示部
１３  外部通信部
【図１】
2006242442.tif 000003
【図２】
2006242442.tif 000004
【図３】
2006242442.tif 000005
【図４】
2006242442.tif 000006
【図５】
2006242442.tif 000007
【図６】
2006242442.tif 000008
【図７】
2006242442.tif 000009
【図８】
2006242442.tif 000010
【図９】
2006242442.tif 000011